(57)【要約】【課題】  隔壁と開閉体との間で球が挟みつけられた状態で維持される球噛を解消する。【解決手段】  本発明の入賞部品６は、遊技盤２の前面４に取付けられたベース２１と、ベース２１の前面２２から前方に突出してベース２１の中央に入賞部２３を区画形成し遊技領域１２から入賞部２３への球Ｐの流入を阻止する隔壁２４と、隔壁２４で囲まれた内側の入賞部２３と、隔壁２４の側部が切除されて球を遊技領域１２から入賞部２３に取込む球取込口２５と、ベース２１の前面２２に設けられ下部を中心として左右に回転して球取込口２５を開閉する開閉体２６と、開閉体２６を駆動するためにベース２１の裏側に設けられた駆動機構とを備え、開閉体２６が、下部の中心を備えた基端部３１と、基端部３１に回転可能に支持された先端部としての回転体３３とにより構成された。【選択図】        図１
2006034698.tif 000002
【特許請求の範囲】
【請求項１】
遊技盤の前面に取付けられたベースと、ベースの前面から前方に突出してベースの中央に入賞部を区画形成し遊技領域から入賞部への球の流入を阻止する隔壁と、隔壁で囲まれた内側の入賞部と、隔壁の側部が切除されて球を遊技領域から入賞部に取込む球取込口と、ベースの前面に設けられ下部を中心として左右に回転して球取込口を開閉する開閉体と、開閉体を駆動するためにベースの裏側に設けられた駆動機構とを備えた入賞部品において、開閉体が、下部の中心を備えた基端部と、基端部に回転可能に支持された先端部とにより構成されたことを特徴とする入賞部品。
【請求項２】
ベースの裏側には、開閉体が駆動機構で開閉される場合に開閉体の開閉に伴って先端部を回転させる回転機構が設けられたことを特徴とする請求項１に記載の入賞部品。
【請求項３】
回転機構が、一端側に先端部を有する回転軸と、ベースに形成された逃げ孔を経由してベースの裏側に延長する回転軸の他端に設けられた軸側歯車と、ベースの裏側に設けられた歯車ガイドとで形成され、軸側歯車が歯車ガイドと噛み合って回転して先端部を回転させることを特徴とする請求項１または請求項２に記載の入賞部品。
【発明の詳細な説明】
【技術分野】
【０００１】
本発明は遊技領域から入賞部に球を取込む球取込口に当該球取込口を開閉する開閉体を備えた入賞部品に関する。
【背景技術】
【０００２】
遊技盤の前面に取付けられたベースと、ベースの前方に突出する隔壁で区画されベースの中央の開口から後側に窪む入賞部と、隔壁の一部が切除されて遊技領域から球を入賞部に取込む球取込口と、球取込口を開閉する開閉体と、開閉体を駆動するためにベースの裏側に設けられた駆動機構とを備え、開閉体が、先端側に板ばねを備えた入賞部品が知られている（例えば、特許文献１参照）。
【特許文献１】特開２００３−７９８６１号公報
【発明の開示】
【発明が解決しようとする課題】
【０００３】
特許文献１の入賞部品の構成では、板ばねは一端が固定されて他端が自由端である片持ち梁であり、球の接触する面が回転しないので、球が板ばねと隔壁との間で挟まれる、いわゆる球噛を発生する可能性がある。すなわち、板ばねが撓んでも、固定点である隔壁と可動点である板ばねとの間の寸法が１個の球の直径と一致した場合には、球が隔壁と板ばねとで挟みつけられて板ばねが回転しないので、球が隔壁と板ばねとで挟みつけられた状態で維持される球噛を発生する可能性がある。
【課題を解決するための手段】
【０００４】
本発明は、遊技盤の前面に取付けられたベースと、ベースの前面から前方に突出してベースの中央に入賞部を区画形成し遊技領域から入賞部への球の流入を阻止する隔壁と、隔壁で囲まれた内側の入賞部と、隔壁の側部が切除されて球を遊技領域から入賞部に取込む球取込口と、ベースの前面に設けられ下部を中心として左右に回転して球取込口を開閉する開閉体と、開閉体を駆動するためにベースの裏側に設けられた駆動機構とを備えた入賞部品において、開閉体が、下部の中心を備えた基端部と、基端部に回転可能に支持された先端部とにより構成されたことを特徴とする。ベースの裏側には、開閉体が駆動機構で開閉される場合に開閉体の開閉に伴って先端部を回転させる回転機構が設けられたことや、回転機構が、一端側に先端部を有する回転軸と、ベースに形成された逃げ孔を経由してベースの裏側に延長する回転軸の他端に設けられた軸側歯車と、ベースの裏側に設けられた歯車ガイドとで形成され、軸側歯車が歯車ガイドと噛み合って回転して先端部を回転させることも特徴とする。
【発明の効果】
【０００５】
本発明によれば、開閉体を、下部の中心を備えた基端部と、基端部に回転可能に支持された先端部とにより構成したことから、先端部が球に接触して回転しやすく、球噛防止効果を高めることができる。開閉体が駆動機構で開閉される場合に開閉体の開閉に伴って先端部を回転させる回転機構を備えたことで、開閉体の開閉に伴って回転体を強制的に回転させることができて、球噛防止効果と、球に回転力を付与できて、球の動きに変化を与えることができる。軸側歯車と歯車ガイドとが噛み合って軸側歯車が回転して先端部を回転させることから、回転体への回転駆動力伝達の効率を上げることができる。
【発明を実施するための最良の形態】
【０００６】
実施形態１．
図１は遊技盤の前面に取付けられた実施形態１の入賞部品の正面を示し、図２は当該入賞部品を備えたパチンコ機を示し、図３は図１のＡ−Ａ断面を示し、図４は当該入賞部品の開閉体を分解して示し、図５は開閉体と開閉体の駆動機構とを示し、図６は開閉体の動作を示し、図７は図１のＢ方向から見た開閉体と隔壁との関係を示す。
【０００７】
図２に示すように、パチンコ機１は遊技盤２が遊技機枠３内に収納されて構成される。遊技盤２の前面４においてガイドレール５で囲まれた内側には、本形態による入賞部品６、開閉体始動入賞部品７Ａ；７Ｂ、風車８、釘９等の遊技部品を備える。遊技盤２の裏側には図外の制御装置や球樋１０（図３参照）等の遊技部品を備える。遊技盤２の前面４の前方には光透過性の有るガラスやプラスチック等のパネル１１が設けられる。また、遊技盤２の前面４とガイドレール５とパネル１１とで囲まれた球（パチンコ球）の飛び交う遊技領域１２が形成される。１３はランプ飾りである。
【０００８】
図１；図３に示すように、入賞部品６は、遊技盤２の前面４に取付けられたベース２１と、ベース２１の前面２２から前方に突出してベース２１の中央に入賞部２３を区画形成し遊技領域１２から入賞部２３への球の流入を阻止する隔壁２４と、隔壁２４で囲まれた内側の入賞部２３と、隔壁２４の上方側の左；右の側部が切除されて球Ｐを遊技領域１２から入賞部２３に取込む球取込口２５；２５と、ベース２１の前面２２に設けられて下部を中心として左右に回転して球取込口２５を開閉する開閉体２６；２６と、開閉体２６を駆動するためにベース２１の裏側に設けられた駆動機構２７とを備える。入賞部品６は裏部１５を遊技盤２に形成された逃げ孔１６に通してベース２１に形成された取付貫通孔１７に止めねじ１８を挿入して遊技盤２に締結することで遊技盤２の前面４に取付けられる。開閉体２６は、下部の中心、すなわち、開閉体２６の回転中心を備えた基端部３１と、この基端部３１に軸３２で回転可能に支持された先端部としての円柱状の回転体３３とにより構成される。開閉体２６の基端部３１は、前体３４と裏体３５とが前裏で結合されて形成される。
【０００９】
図４に示すように、裏体３５の上部前側は回転体３３を収納するために前，左右，上が開放する切欠部３６に形成され、裏体３５の上部後側には軸３２の一端を装着する装着孔３７が形成された裏側軸支持体３８を備える。前体３４の上部前側は回転体３３を収納するために前，左右，上が開放する切欠部３９に形成され、前体３４の上部前側には軸３２の他端を装着する装着孔４１が形成された前側軸支持体４０を備える。つまり、回転体３３の回転中心孔４３に通した軸３２の他端を裏側軸支持体３８の装着孔３７に装着し、軸３２の一端を前側軸支持体４０の装着孔４１に装着し、裏体３５の前面４５ａと前体３４の裏面４４とを互いに固定結合することで、回転体３３が切欠部３６；３９で形成された収納空間に収納され、回転体３３が軸３２に対して回転可能に取付けられる。裏体３５と前体３４は、例えば、裏体３５の前面４５ａと前体３４の裏面４４とに形成された図外の対の係合凹凸により互いに強固に結合されたり、接着剤により強固に結合される。軸３２に対して回転体３３が回転可能に取付けてあれば、軸３２は装着孔３７；４１に対して回転可能に取付けられていても良いし、回転不能に取付けられていても良い。
【００１０】
軸３２と回転体３３とが互いに回転不能に取付けられたものを用いたり、軸３２と回転体３３とが一体のものを用いる場合には、上記装着孔３７；４１を軸受として機能させて、当該軸受により軸３２が回転可能となっていれば良い。
【００１１】
前体３４の前側軸支持体４０は、軸３２で装着孔４１に取付けられた回転体３３の円周面より外側に突出する突出部４５を備え、開閉体２６が閉じた場合に当該突出部４５が隔壁２４の対向面４６に接触する（図１、図６（ａ）参照）。尚、開閉体２６が開いている場合において開閉体２６と対向面４６との間に形成される空間が球取込口２５を形成する（図１参照）。突出部４５が接触する対向面４６は隔壁２４の上下に垂直な側面壁４７から入賞部２３の方向に向けて傾斜する傾斜面に形成される。開閉体２６が閉じた場合に対向面４６に突出部４５の先端が接触して止まるので、隔壁２４の上下に垂直な側面壁４７に突出部４５の先端を接触させる場合に比べて開閉体２６の開閉角度を大きくできて遊技性を向上できる。また、開閉体２６が閉じた場合に回転体３３の円周面が隔壁２４の対向面４６と接触する構成の場合、回転体３３と対向面４６との衝突により回転体３３の中心方向に応力がかかると、軸３２と当該軸３２が通された回転体３３の回転中心孔４３との間に圧力を生じて、回転中心孔４３の孔形状が楕円形状に変形したり、軸３２が変形する可能性がある。軸３２に回転可能に取付けられた回転体３３は、回転中心孔４３が真円に近いほどスムーズに回転するので、回転中心孔４３の孔形状が変形すると、回転体３３のスムーズな回転を損なう可能性がある。また、軸３２が変形すると、軸３２に回転可能に取付けられた回転体３３あるいは装着孔３７；４１（軸受）に支持された軸３２のスムーズな回転を損なう可能性がある。本形態では、前体３４の前側軸支持体４０に回転体３３の円周面より外側に突出する突出部４５を設けて回転体３３の円周面と隔壁２４の対向面４６とが接触しない構成としたために、回転体３３のスムーズな回転を維持できる。
【００１２】
図５に示すように、開閉体２６の駆動機構２７は、開閉体２６の裏体３５の下部に形成された回転中心孔５０（図４参照）に一端が固定状態に取付けられる回転軸５１と、駆動源としてのソレノイド５２と、ソレノイド５２の作動軸５３の伸縮による直線運動を回転力に変換して回転軸５１に伝達する力伝達方向変換機構５４とを備える。力伝達方向変換機構５４は第１リンク５４ａと第２リンク５４ｂとで構成される。例えば、図５のように、ソレノイド５２の作動軸５３が図外の電磁石に吸引されて矢印ａ方向に縮むと、作動軸５３の先端に結合された第１リンク５４ａが矢印ｂの方向に上昇し、回転軸５１に連結された第２リンク５４ｂが矢印ｃの方向に回転する。これにより回転軸５１が矢印ｄ方向に回転して、開閉体２６が矢印ｅ方向に回転して球取込口２５を開放する方向に動く。ソレノイド５２の電磁石による吸引がなくなって作動軸５３が伸びる（戻る）と、逆の動作で開閉体２６が球取込口２５を閉じる方向に動く。
【００１３】
回転軸５１は両端が異形に形成されたものを用いることが望ましい。このような回転軸５１の一端が裏体３５に形成された異形の回転中心孔５０に嵌合されるとともに、当該回転軸５１の他端が第２リンク５４ｂの図外の異形に形成された接続孔に嵌合された構成とし、さらに、開閉体２６や第２リンク５４ｂに取付けられた回転軸５１の両先端には、回転軸５１が開閉体２６や第２リンク５４ｂから脱落しないように図外の止め輪を設けることが望ましい。
【００１４】
図６（ａ）に示すように、開閉体２６が閉じられて突出部４５の先端が対向面４６に接触している状態において、対向面４６と回転体３３の外周面との間の距離Ｄは１個の球Ｐの直径より短い。図６（ｂ）に示すように、球噛は、球Ｐの中心Ｃを通る一直線Ｌ上の両端に相当する球Ｐの外周面５５；５６に対し当該外周面５５；５６に接触する固定物からの互いに押し付ける力Ｆ１；Ｆ２が一直線Ｌ上で加わった場合に生じる。本形態の場合は、球Ｐの中心Ｃを通る一直線Ｌ上の両端に相当する球Ｐの一方の外周面５５に固定物である対向面４６が接触するとともに球Ｐの他方の外周面５６に移動体としての回転体３３の外周面が接触して、対向面４６からの押し付ける力Ｆ１が一方の外周面５５に加わるとともに回転体３３からの押し付ける力Ｆ２が他方の外周面５６に加わった瞬間に、回転体３３が回転する。この場合、回転体３３が矢印５７の方向に回転すれば、球Ｐが入賞部２３内に取込まれ、回転体３３が矢印５８の方向に回転すれば、球Ｐが遊技領域１２に戻されるので、球噛は生じない。
【００１５】
図７に示すように、前体３４の前側軸支持体４０の後面４８からパネル１１までの最短距離Ｈ１が１個の球Ｐの半径より短い長さに形成されるので、前側軸支持体４０の先端と対向面４６との間で球噛は発生しない。裏体３５の裏側軸支持体３８の前面４９からベース２１の前面２２までの最短距離Ｈ２が１個の球Ｐの半径より短い長さに形成されるので、裏側軸支持体３８の先端と対向面４６との間で球噛は発生しない。
【００１６】
図２に戻り、皿９５からパチンコ機１内の図外の発射装置に取込まれた球Ｐは発射操作装置としてのハンドル９６の人による操作で発射装置より発射され、ガイドレール５に沿って遊技領域１２に入る。例えば、遊技領域１２を流下してきた球Ｐが開閉体始動入賞部品７Ａ；７Ｂに入賞すると、制御装置が入賞部品６の左右の開閉体２６；２６を開閉し、球Ｐが球取込口２５；２５より入賞部２３に取込まれ得る状態となる。
【００１７】
入賞部２３内に取込まれた後の球Ｐの動きを、図１；図３を参照して説明する。入賞部２３に取込まれた球Ｐは球カウントゲート１０５を通過して傾斜板１０４上に落下し、傾斜板１０４により内部奥側に導かれる。球カウントゲート１０５は内部に球検出器１００を備えたゲートであり、開閉体２６，２６に対応して左右一対で設けられている。傾斜板１０４の奥側には周面下方に複数の開口１０６を有する円筒状回転体１０７が設けられ、この円筒状回転体１０７の左右両側の位置には球貯留装置１０８が設けられ、また、傾斜板１０４の左右側方位置には傘状回転体１０９が設けられている。上記円筒状回転体１０７、球貯留装置１０８、傘状回転体１０９の駆動制御態様としては種々有り得る。例えば、制御装置により、通常は、円筒状回転体１０７及び傘状回転体１０９を単純に回転させるようにしておいてもよいし、所定周期で回転・停止を繰り返すようにしておいてもよい。球Ｐが開閉体始動入賞部品７Ａあるいは７Ｂに入賞して決められた回数だけ開閉体２６；２６が開閉すると、球Ｐは球カウントゲート１０５及び傾斜板１０４を介して円筒状回転体１０７の開口１０６に入る可能性があり、この場合、球Ｐは特定入賞誘導路１１０に落下し、特定入賞部１１１に入賞する可能性が高くなる。また、円筒状回転体１０７の開口１０６に入らなかった球Ｐは円筒状回転体１０７の左右側の落下口１１２に導かれて下部傾斜板１１３上に落下するが、この場合、特定入賞部１１１に入賞する可能性は低い。球Ｐが特定入賞部１１１に球検出器１０１で検出されて制御装置が球検出信号を検出して特定入賞となると特別遊技状態となる。この場合、制御装置は、例えば、開閉体２６；２６を頻繁に開閉させるとともに、傘状回転体１０９の傘部１１９が傾斜板１０４の中央方向に突出するような状態に傘状回転体１０９を停止させる。また、開口１０６が図１に示すような正面に位置する状態に円筒状回転体１０７を停止させる。また、球貯留装置１０８を駆動して落下口１１２を塞ぐようにして球Ｐを傾斜板１０４上に貯留できるようにする。以上により、球カウントゲート１０５を介して傾斜板１０４上に落下する球Ｐは傘状回転体１０９の傘部の外周面にガイドされて円筒状回転体１０７の開口１０６に導かれる可能性が高くなり、また、開口１０６に入らなくても球貯留装置１０８により傾斜板１０４に球Ｐが貯留され、この貯留された球Ｐ群により開口１０６への誘導路が形成されることで後続の球Ｐを円筒状回転体１０７の開口１０６に導く可能性が高くなる。また、特別遊技状態の終了時点で球貯留装置１０８が解除された場合は、傾斜板１０４上に貯留されていた複数の球Ｐが連続して下部傾斜板１１３上に落下するため、後に落下した球Ｐが特定入賞部１１１に入賞する可能性がある。また、入賞部品６の上部には天入賞口１２０が設けられ、この天入賞口１２０に入った球Ｐは球検出器１２１で検出され、これを検出した制御装置は遊技者に一定の賞を付与する。
【００１８】
実施形態１によれば、図６（ｂ）のように、開閉体２６が閉じられる場合において、球Ｐの中心Ｃを通る一直線Ｌ上の両端に相当する球Ｐの一方の外周面５５に隔壁２４の対向面４６が接触するとともに他方の外周面５６に回転体３３の外周面が接触して、対向面４６からの押し付ける力Ｆ１が一方の外周面５５に加わるとともに回転体３３からの押し付ける力Ｆ２が外周面５６に加わったとしても、当該力Ｆ１；Ｆ２が球Ｐに作用した瞬間に回転体３３が回転し、球噛は解消される。
【００１９】
実施形態２．
実施形態１では、回転体３３を自由回転させる構成の入賞部品６を例示したが、実施形態２では、回転体３３を強制回転させる回転機構を備えた構成の入賞部品６とした。以下、図に基づいて実施形態２を説明する。図８は図９のＢ方向から見た開閉体と隔壁との関係を示し、図９は遊技盤の前面に取付けられた実施形態２の入賞部品の正面を示し、図１０は開閉体と開閉体の駆動機構と回転体の回転機構との全体構成を示し、図１１は当該入賞部品の開閉体を分解して示し、図１２は開閉体と開閉体の駆動機構と回転体の回転機構とを前方から見て示し、図１３は開閉体と開閉体の駆動機構と回転体の回転機構との関係を横から見て示す。尚、各図において、図１〜図７の実施形態１と同一部分は同一符号を付して詳説を省略する。また、図９において入賞部２３内の構成は図１と同じであるので、符号付けを省略している。
【００２０】
実施形態２では、開閉体２６が駆動機構２７で開閉される場合に開閉体２６の開閉に伴って開閉体２６の先端部としての回転体３３を回転させる回転機構６０がベース２１の裏側に設けられた構成である。図９に示すように、回転機構６０は、ベース２１に形成された逃げ孔６１を経由してベース２１の裏側に延長する回転軸６２の他端に設けられた軸側歯車６３と、ベース２１の裏側に設けられた歯車ガイド６４とで形成される。逃げ孔６１は開閉体２６が開閉する場合の開閉体２６の先端側の回転軸６２の軌跡に合わせてベース２１に弧状に形成される。このため、ベース２１は開閉体２６の先端側の回転軸６２の軌跡よりも外側に広く延在する形状に形成される。図１０；図１１に示すように、回転軸６２の一端側には開閉体２６の先端部としての回転体３３が回転軸６２に対して回転不能状態に結合される。すなわち、回転軸６２と回転体３３とが一体のもの、回転軸６２と回転体３３とが嵌合、接着等により互いに結合されたものを使用する。回転軸６２の一端は前体３４の軸受として機能する装着孔４１に装着され、回転軸６２の他端側は裏体３５の軸受として機能する装着孔３７、ベース２１の逃げ孔６１を通過してベース２１の裏側に突出する。この逃げ孔６１を通ってベース２１の裏側に延長する回転軸６２の他端に回転軸６２に対して回転不能状態に軸側歯車６３が結合される。例えば、図１１に示すように、他端６５が異形に形成された回転軸６２と異形中心孔６６に形成された軸側歯車６３とを用いてこれらを結合すればよい。図９；図１２に示すように、歯車ガイド６４は、弧状に形成された板の弧状内面に軸側歯車６３と噛み合う歯車６７の形成された弧状ラックで構成される。この歯車ガイド６４は逃げ孔６１に沿って逃げ孔６１の上方に配置された状態でベース２１の裏側に固定される。この場合、図８；９に示すように、歯車ガイド６４の弧状の外面側に複数設けられた取付フランジ６８をベース２１の裏面７１に形成された支柱６９に合わせて取付フランジ６８をタッピングスクリューのような止めねじ７０でベース２１の裏面７１に取付けておく。また、図８；図１３に示すように、回転軸６２が逃げ孔６１内をスムーズかつ正確に移動できるようにするために回転軸６２にブッシュ７２を嵌め込んでいる。
【００２１】
図９に示すように、駆動源としてのソレノイド５２で開閉体２６が矢印ａのように開く方向に回転すると軸側歯車６３が歯車ガイド６４の歯車６７と噛み合って矢印ｂ方向に回転する。これにより、回転体３３も同方向に回転するので、このように回転する回転体３３に球Ｐが接触することで球Ｐが入賞部２３の方向に回転し、矢印ｃの方向に進行して入賞部２３に入賞する可能性が多くなる。逆に、開閉体２６が矢印ｄのように閉じる方向に回転すると軸側歯車６３が矢印ｅの方向に回転する。これにより、回転体３３も同方向に回転するので、このように回転する回転体３３に球Ｐが接触することで球Ｐが遊技領域１２の方向に回転し、矢印ｆの方向に進行して遊技領域１２の方向に戻る可能性が多くなる。すなわち、開閉体２６が開く場合には回転体３３が球を入賞部２３に取込みやすい方向に回転体３３を回転させることができるので、入賞率の高い入賞部品６とできる。この実施形態２において、開閉体２６が図６（ｂ）の状態になった場合には、回転機構６０により回転体３３が回転しているので球噛は生じない。尚、逃げ孔６１の下側に配置されて弧状の外周面に軸側歯車６３と噛み合う歯車を形成した歯車ガイドを用いても良い。この場合、回転体３３が上記とは逆の方向に回転するので、上述した構成より入賞率が低くなる可能性があるが、上記構成よりもベース２１を小さくでき、入賞部品６を小型化できる。尚、このような構成の場合でも、球噛は生じない。以上のように、軸側歯車６３と歯車ガイド６４の歯車６７とを噛み合せて軸側歯車６３を回転させて先端部としての回転体３３を回転させる構造とすれば、回転体３３への回転駆動力伝達の効率を上げることができ、回転体３３に接触した球Ｐに強い回転力を付与できるので、より球噛を解消できる。
【００２２】
実施形態３．
回転体３３としては、例えば図１４に示すような断面十字形、図１５に示すような断面三角形状、あるいは図示しないが、断面四角形状、断面多角形状、その他の断面形状を有した回転体を用いることで、回転体に衝突して跳ね返る球Ｐの動きに予測不能な変化を与えることができるようになり、遊技性を向上できる。
【００２３】
実施形態４．                                                       
図１６のように、開閉体２６の先端部が基端部８１で自在に回転可能に支持された球８２により形成された開閉体としても良い。この場合、球８２としてパチンコ機の遊技球として使用する鋼球を用いれば、球同士の接触に伴う回転がスムーズになり効果的である。
【００２４】
実施形態５．
図１７に示すように、開閉体２６の軸支持体８３が突出部４５を備えない構成であっても良いが、突出部４５を備えれば特有の効果が得られることは上述したとおりである。
【００２５】
実施形態６．
回転体３３の径は特に問わないが、球Ｐの直径より小さいほうが回転体３３の回転がスムーズとなる。また、強制回転される回転体３３の場合も球Ｐの直径より小さいほうが回転トルクが大きくなり、球Ｐに強い回転力を付与できる。したがって、球Ｐの直径より小さい回転体３３を用いることで、より球噛を効率的に排除できる。
【産業上の利用可能性】
【００２６】
軸側歯車６３と歯車６７とが噛み合う構造の回転機構６０を備えた例を示したが、回転機構は、回転体と回転体の転がる転路とで構成しても良い。回転体３３はプラスチック、その他の材料で形成すればよく、材質は特に問わないが、表面が硬くて接触した球Ｐが滑りやすい材料で形成することが好ましい。
【図面の簡単な説明】
【００２７】
【図１】遊技盤の前面に取付けられた本発明の実施形態１の入賞部品の正面図。
【図２】実施形態１の入賞部品を備えたパチンコ機の正面図。
【図３】図１のＡ−Ａ断面図。
【図４】実施形態１の入賞部品の開閉体の分解斜視図。
【図５】実施形態１の入賞部品の開閉体と開閉体の駆動機構とを示す斜視図。
【図６】実施形態１の入賞部品の開閉体の動作を示す作用説明図。
【図７】図１のＢ方向から見た開閉体と隔壁との関係を示す側面図。
【図８】本発明の実施形態２の入賞部品の開閉体と隔壁との関係を示す側面図。
【図９】遊技盤の前面に取付けられた実施形態２の入賞部品の正面図。
【図１０】実施形態２の入賞部品の開閉体と開閉体の駆動機構と回転体の回転機構との全体構成を示す斜視図。
【図１１】実施形態２の入賞部品の開閉体を示す分解斜視図。
【図１２】実施形態２の入賞部品の開閉体と開閉体の駆動機構と回転体の回転機構とを前方から見た図。
【図１３】実施形態２の入賞部品の開閉体と開閉体の駆動機構と回転体の回転機構との関係を横から見た図。
【図１４】本発明の実施形態３の入賞部品の回転体を示す図。
【図１５】本発明の実施形態３の入賞部品の回転体を示す図。
【図１６】本発明の実施形態４の入賞部品の開閉体の先端部構造を示す断面図。
【図１７】本発明の実施形態５の入賞部品の開閉体を示す正面図。
【符号の説明】
【００２８】
１  パチンコ機、２  遊技盤、４  遊技盤の前面、６  入賞部品、１２  遊技領域、
２１  ベース、２２  ベースの前面、２３  入賞部、２４  隔壁、２５  球取込口、
２６  開閉体、２７  駆動機構、３１  基端部、３３  回転体（先端部）、
６０  回転機構、６１  逃げ孔、６２  回転軸、６３  軸側歯車、６４  歯車ガイド。
【図１】
2006034698.tif 000003
【図２】
2006034698.tif 000004
【図３】
2006034698.tif 000005
【図４】
2006034698.tif 000006
【図５】
2006034698.tif 000007
【図６】
2006034698.tif 000008
【図７】
2006034698.tif 000009
【図８】
2006034698.tif 000010
【図９】
2006034698.tif 000011
【図１０】
2006034698.tif 000012
【図１１】
2006034698.tif 000013
【図１２】
2006034698.tif 000014
【図１３】
2006034698.tif 000015
【図１４】
2006034698.tif 000016
【図１５】
2006034698.tif 000017
【図１６】
2006034698.tif 000018
【図１７】
2006034698.tif 000019